(57)【要約】【課題】バッテリの取り扱いが容易である切断工具を提供する。【解決手段】切断工具の一例であるマルチカッタ１は、モータと、モータにより駆動される回転刃２６と、回転刃２６に対向して配置される固定刃２８と、モータが保持されるハウジング２（左ハウジング４０及び右ハウジング４２）と、ハウジング２の後端部に形成されており電動工具用のバッテリ１０を装着可能であるバッテリ装着部８と、を備えており、バッテリ装着部８は、バッテリ１０を案内する、上下に延び前方へ凹むガイド溝７８を、左右に有している。【選択図】図２
2018117994.tif 000002
【特許請求の範囲】
【請求項１】
モータと、
前記モータにより駆動される回転刃と、
前記回転刃に対向して配置される固定刃と、
前記モータが保持されるハウジングと、
前記ハウジングに形成されており電動工具用のバッテリを装着可能であるバッテリ装着部と、
を備えており、
前記バッテリ装着部は、前記バッテリを案内するガイド溝を有している
ことを特徴とする切断工具。
【請求項２】
前記バッテリ装着部は、前記ハウジングの後端部に配置されており、
前記ガイド溝は、上下方向、前後方向又は左右方向に延びている
ことを特徴とする請求項１に記載の切断工具。
【請求項３】
前記バッテリ装着部に装着可能なバッテリを有しており、
前記バッテリは、前記ガイド溝に入るレールを有している
ことを特徴とする請求項１又は請求項２に記載の切断工具。
【請求項４】
更に、前記固定刃を保持する固定刃保持部及びその固定刃保持部を保持するベース本体部を有するベースを備えており、
前記回転刃は、左右方向の回転軸の周りで駆動され、
前記固定刃は、前記回転刃の左面又は右面に隣接して配置され、
前記ベース本体部は、前記固定刃及び前記固定刃保持部の少なくとも一方と、左右方向でオーバーラップしている
ことを特徴とする請求項１ないしは請求項３の何れかに記載の切断工具。
【請求項５】
更に、前記固定刃を保持する固定刃保持部及びその固定刃保持部を保持するベース本体部を有するベースを備えており、
前記回転刃は、左右方向の回転軸の周りで駆動され、
前記固定刃は、前記回転刃の左面又は右面に隣接して配置され、
前記ベース本体部は、前記固定刃と、上下方向でオーバーラップしている
ことを特徴とする請求項１ないしは請求項４の何れかに記載の切断工具。
【請求項６】
更に、前記回転刃の外方に配置されるブレードカバーを備えており、
前記回転刃は、左右方向の回転軸の周りで駆動され、
前記固定刃は、前記回転刃の左面又は右面に隣接して配置され、
前記ブレードカバーの一部又は全部は、前方へ行くほど前記回転刃から視て前記固定刃の有る側へ向かう形状となっている
ことを特徴とする請求項１ないしは請求項５の何れかに記載の切断工具。
【請求項７】
更に、前記固定刃を保持するベースを備えており、
前記回転刃は、左右方向の回転軸の周りで駆動され、
前記固定刃は、前記回転刃の左面又は右面に隣接して配置され、
前記ベースの一部又は全部は、前方へ行くほど前記回転刃から視て前記固定刃の有る側へ向かう形状となっている
ことを特徴とする請求項１ないしは請求項６の何れかに記載の切断工具。
【請求項８】
モータと、
前記モータにより左右方向の回転軸の周りで駆動される回転刃と、
前記回転刃の左面又は右面に隣接して配置される固定刃と、
前記回転刃の外方に配置されるブレードカバーと、
を備えており、
前記ブレードカバーの一部又は全部は、前方へ行くほど前記回転刃から視て前記固定刃の有る側へ向かう形状となっている
ことを特徴とする切断工具。
【請求項９】
前記回転刃は、前記モータのモータ軸と平行である
ことを特徴とする請求項８に記載の切断工具。
【請求項１０】
前記ブレードカバーの一部は、他の部分に対する突出及び変色の少なくとも一方が施された目印である
ことを特徴とする請求項８又は請求項９に記載の切断工具。
【請求項１１】
モータと、
前記モータにより左右方向の回転軸の周りで駆動される回転刃と、
前記回転刃の左面又は右面に隣接して配置される固定刃と、
前記固定刃を保持するベースと、
を備えており、
前記ベースの一部又は全部は、前方へ行くほど前記回転刃から視て前記固定刃の有る側へ向かう形状となっている
ことを特徴とする切断工具。
【発明の詳細な説明】
【技術分野】
【０００１】
本発明は、駆動される刃と固定された刃により被切断物を切断する切断工具に関する。
【背景技術】
【０００２】
下記特許文献１に示されるように、外形が多角形である切断ディスクが電動モータにより回転される手持ち電動カッタが知られている。
切断ディスクの下側には、対抗刃が配置されており、対抗刃の下方には、上面視でグリップと同方向に向けられたベースが配置されている。
この手持ち電動カッタのハウジング内には、電動モータのための充電池が格納されている。
【先行技術文献】
【特許文献】
【０００３】
【特許文献１】米国特許第８０６９５７２号明細書
【発明の概要】
【発明が解決しようとする課題】
【０００４】
特許文献１の手持ち電動カッタでは、充電池がハウジングに内蔵されるため、バッテリの取り替えが煩わしい。
本発明の主な目的の一つ（第１の目的）は、バッテリの取り扱いが容易である切断工具を提供することにある。
【０００５】
又、特許文献１の手持ち電動カッタでは、ベースが上面視でグリップと同方向であるため、切断ディスクと対抗刃の間が比較的に開き易く、これらの間が開いた場合、使用者は被切断材を所望の方向に切断し難く、手持ち式電動カッタの操作性が比較的に劣ることとなる。
本発明の主な目的の別の一つ（第２の目的）は、切断に係る操作がより行い易い切断工具を提供することにある。
【課題を解決するための手段】
【０００６】
上記目的（第１の目的）に鑑み、請求項１に記載の発明は、モータと、前記モータにより駆動される回転刃と、前記回転刃に対向して配置される固定刃と、前記モータが保持されるハウジングと、前記ハウジングに形成されており電動工具用のバッテリを装着可能であるバッテリ装着部と、を備えており、前記バッテリ装着部は、前記バッテリを案内するガイド溝を有していることを特徴とするものである。
請求項２に記載の発明は、上記発明において、前記バッテリ装着部は、前記ハウジングの後端部に配置されており、前記ガイド溝は、上下方向、前後方向又は左右方向に延びていることを特徴とするものである。
請求項３に記載の発明は、上記発明において、前記バッテリ装着部に装着可能なバッテリを有しており、前記バッテリは、前記ガイド溝に入るレールを有していることを特徴とするものである。
請求項４に記載の発明は、上記発明において、更に、前記固定刃を保持する固定刃保持部及びその固定刃保持部を保持するベース本体部を有するベースを備えており、前記回転刃は、左右方向の回転軸の周りで駆動され、前記固定刃は、前記回転刃の左面又は右面に隣接して配置され、前記ベース本体部は、前記固定刃及び前記固定刃保持部の少なくとも一方と、左右方向でオーバーラップしていることを特徴とするものである。
請求項５に記載の発明は、上記発明において、更に、前記固定刃を保持する固定刃保持部及びその固定刃保持部を保持するベース本体部を有するベースを備えており、前記回転刃は、左右方向の回転軸の周りで駆動され、前記固定刃は、前記回転刃の左面又は右面に隣接して配置され、前記ベース本体部は、前記固定刃と、上下方向でオーバーラップしていることを特徴とするものである。
請求項６に記載の発明は、上記発明において、更に、前記回転刃の外方に配置されるブレードカバーを備えており、前記回転刃は、左右方向の回転軸の周りで駆動され、前記固定刃は、前記回転刃の左面又は右面に隣接して配置され、前記ブレードカバーの一部又は全部は、前方へ行くほど前記回転刃から視て前記固定刃の有る側へ向かう形状となっていることを特徴とするものである。
請求項７に記載の発明は、上記発明において、更に、前記固定刃を保持するベースを備えており、前記回転刃は、左右方向の回転軸の周りで駆動され、前記固定刃は、前記回転刃の左面又は右面に隣接して配置され、前記ベースの一部又は全部は、前方へ行くほど前記回転刃から視て前記固定刃の有る側へ向かう形状となっていることを特徴とするものである。
【０００７】
上記目的（第２の目的）に鑑み、請求項８に記載の発明は、モータと、前記モータにより左右方向の回転軸の周りで駆動される回転刃と、前記回転刃の左面又は右面に隣接して配置される固定刃と、前記回転刃の外方に配置されるブレードカバーと、を備えており、前記ブレードカバーの一部又は全部は、前方へ行くほど前記回転刃から視て前記固定刃の有る側へ向かう形状となっていることを特徴とするものである。
請求項９に記載の発明は、上記発明において、前記回転刃は、前記モータのモータ軸と平行であることを特徴とするものである。
請求項１０に記載の発明は、上記発明において、前記ブレードカバーの一部は、他の部分に対する突出及び変色の少なくとも一方が施された目印であることを特徴とするものである。
上記目的（第２の目的）に鑑み、請求項１１に記載の発明は、モータと、前記モータにより左右方向の回転軸の周りで駆動される回転刃と、前記回転刃の左面又は右面に隣接して配置される固定刃と、前記固定刃を保持するベースと、を備えており、前記ベースの一部又は全部は、前方へ行くほど前記回転刃から視て前記固定刃の有る側へ向かう形状となっていることを特徴とするものである。
【発明の効果】
【０００８】
本発明の主な効果の一つは、バッテリの取り扱いが容易である切断工具が提供されることにある。
本発明の主な効果の別の一つは、切断に係る操作がより行い易い切断工具が提供されることにある。
【図面の簡単な説明】
【０００９】
【図１】本発明の第１形態に係るマルチカッタの斜視図である。
【図２】図１の（ａ）バッテリの斜視図，（ｂ）バッテリ取り外し状態に係る後方からの斜視図である。
【図３】図１の左側面図である。
【図４】図１の右側面図である。
【図５】図１の前面図である。
【図６】図１の上面図である。
【図７】図１の下面図である。
【図８】図３のＡ−Ａ断面図である。
【図９】図４のＢ−Ｂ断面図である。
【図１０】図３のＣ−Ｃ断面図である。
【図１１】図１の開蓋右側面図である。
【図１２】図１の分解斜視図である。
【図１３】図１２のモータ及びギヤアッセンブリの分解斜視図である。
【図１４】図１２のモータ及びギヤアッセンブリの（ａ）右側面図（一部中央縦断面図），（ｂ）（ａ）のＤ−Ｄ断面図（モータは断面でない）である。
【図１５】図１１からモータ及びギヤアッセンブリを除いた状態に係る開蓋右側面図である。
【図１６】（ａ）はモータ１１、ギヤアッセンブリ１２及び右ハウジング４２を除いた斜視図であり、（ｂ）はロックオフレバー３５の斜視図であり、（ｃ）はスイッチレバー８０の斜視図である。
【図１７】（ａ）は図１０の前部拡大図、（ｂ）は図３の前下部拡大図、（ｃ）は図３のＥ−Ｅ下部断面図、（ｄ）は本発明の第６形態に係る（ｃ）に相当する端面模式図である。
【図１８】本発明の（ａ）第１形態，（ｂ）第２形態に係るバッテリの制御回路のブロック図である。
【図１９】本発明の（ａ）第２形態，（ｂ）第３形態，（ｃ）第４形態に係る後部の斜視図である。
【図２０】本発明の第５形態に係る（ａ）マルチカッタの前部の右側面図，（ｂ）固定刃の右側面図，（ｃ）同上面図，（ｄ）同左側面図，（ｅ）同後面図である。
【発明を実施するための形態】
【００１０】
以下、本発明の実施の形態やその変更例が、適宜図面に基づいて説明される。
当該形態や変更例における前後上下左右は、説明の便宜上定めたものであり、作業の状況や移動する部材の状態等により変化することがある。
尚、本発明は、下記の形態や変更例に限定されない。
【００１１】
［第１形態］
図１は本発明の第１形態に係る切断工具の一例としてのマルチカッタ１の斜視図であり、図２はマルチカッタ１の（ａ）バッテリの斜視図，（ｂ）バッテリ取り外し状態に係る後方からの斜視図であり、図３はマルチカッタ１の左側面図であり、図４はマルチカッタ１の右側面図であり、図５はマルチカッタ１の前面図であり、図６はマルチカッタ１の上面図であり、図７はマルチカッタ１の下面図であり、図８は図３のＡ−Ａ断面図であり、図９は図４のＢ−Ｂ断面図であり、図１０は図３のＣ−Ｃ断面図であり、図１１はマルチカッタ１の開蓋右側面図であり、図１２はマルチカッタ１の分解斜視図である。
マルチカッタ１は、その外郭を形成するハウジング２を有している。
マルチカッタ１は、前下がりの斜め方向に延びており上面視で前後方向に延びる円柱状の本体部４と、本体部４の後端部から後方へ突出するように形成された、前後方向（完全な前後方向に近い前下がりの斜め方向）に延びており上面視で前後方向に延びる円柱状のハンドル部６と、ハンドル部６の後端部から後方へ上下左右に広がるように突出したバッテリ装着部８と、バッテリ装着部８に対して着脱可能なバッテリ１０と、を有する。尚、バッテリ１０は、マルチカッタ１の構成要素に含められなくても良い。
本体部４の中心軸の方向とハンドル部６の中心軸の方向は、側面視（左方視又は右方視）で角度（鈍角）を持って交わる。尚、完全な前後方向は、ここでは本体部４やハンドル部６を上面視でみた場合のそれらの中心軸の方向とされ、上下方向は後述のベース３０の下面の鉛直方向（ベース３０の後辺の方向）とされるが、他の方向とされても良い。
【００１２】
マルチカッタ１の本体部４には、後側から順に、モータ１１、及び動力伝達機構であるギヤアッセンブリ１２が入れられ（配置され）ている。尚、各種のハウジングやケースないしその部分における各種の部材の納入（配置）は、部材がハウジングやケースないしその部分に完全に入る場合の他、部材の一部がハウジングやケースないしその部分に入っており、残りの一部がハウジングやケースないしその部分から突出あるいは露出している場合も適宜含んでいるものとする。
図１３はモータ１１及びギヤアッセンブリ１２の分解斜視図であり、図１４はモータ１１及びギヤアッセンブリ１２の（ａ）右側面図（一部中央縦断面図），（ｂ）（ａ）のＤ−Ｄ断面図（モータは断面でない）であり、図１５はマルチカッタ１のモータ１１及びギヤアッセンブリ１２を除いた開蓋右側面図である。
モータ１１は、バッテリ１０の電力により回転駆動するモータ軸２０を備えている。モータ軸２０の前端部には、ピニオン２１が固定されている。
ギヤアッセンブリ１２は、その外郭を構成する樹脂製のギヤケース２２と、ギヤケース２２の後端部においてモータ軸２０（ピニオン２１）を受け入れるように形成されたモータ接続部２３と、モータ軸２０の方向と角度（９０°）を持って交わり左側に一部露出する出力軸２４と、を備えており、モジュール化されている。
モータ１１は、マルチカッタ１の動力源であり、その回転は、ギヤアッセンブリ１２に伝達されて、減速ないし方向変換のうえで出力軸２４に伝えられる。
出力軸２４は、回転力を受けて軸周りに回転可能な部材であり、その先端部（左端部）には、先端工具としての回転刃２６が、ネジ２７により固定される。
回転刃２６の下側には、回転刃２６に対向する固定刃２８が配置されている。固定刃２８は、ベース３０に、複数のリベット３１で固定される。
【００１３】
ハンドル部６は、使用者が把持する部分であり、片手で把持可能であって（手持ち式切断工具）、バッテリ１０の採用も相まってマルチカッタ１が携帯用切断工具となっている。
ハンドル部６の前下部から本体部４の後下部にかけての部分には、モータ１１の駆動をオンオフするメインスイッチ３４が配置されている。
又、本体部４の後下部ないしハンドル部６の前下部であって、メインスイッチ３４の隣接位置（前側）には、メインスイッチ３４がオンしないようにロックするロックオフレバー３５が配置されている。
更に、バッテリ装着部８には、バッテリ１０と電気的に接続されるターミナル３６と、モータ１１を制御するコントローラ３８が配置されている。
【００１４】
ハウジング２は、本体部４からハンドル部６を経てバッテリ装着部８までに亘る半割状で樹脂製の左ハウジング４０及び右ハウジング４２と、前端部の回転刃２６の外方に配置されるブレードカバー４４と、を有している。尚、上述のギヤケース２２や後述のバッテリケース６０の少なくとも一方がハウジング２の構成要素に含められても良い。又、左ハウジング４０及び右ハウジング４２並びにギヤケース２２は、アルミニウムを始めとする金属製であっても良いし、樹脂と金属の組合せであっても良い。
左ハウジング４０は、前部において複数（２個）の孔４５を有すると共に、中央部や後部において複数のネジボス部４６を有している。各孔４５は、左部より右部で内径が一段狭くなるように形成されている。各孔４５の右側は、左ハウジング４０の右面に対して右方に筒状に突出している。
右ハウジング４２は、各孔４５に対応するネジ孔４７と、各ネジボス部４６に対応するネジ孔４８を有している。各ネジ孔４７は、中央部で内径が一段狭くなって左右両側で拡径部を有するように形成されており、左の拡径部において、孔４５の筒状突出部を受け入れている。
ブレードカバー４４は、各孔４５に対応するネジボス部４９を有している。
左ハウジング４０及び右ハウジング４２は、ネジボス部４６とネジ孔４８の対にそれぞれ入るネジ５０により、合わせられている。
左ハウジング４０及び右ハウジング４２における、本体部４中央下部の部分であって、ブレードカバー４４やベース３０の後方の部分には、後方に突出しており被切断材を案内する案内突起５２が形成されている。ブレードカバー４４の下面や、本体部４の案内突起５２を含む前部下面は、前後左右に広がり、ベース３０の下面と平行になるように形成されている。
【００１５】
バッテリ１０は、１０．８Ｖ（ボルト）のリチウムイオンバッテリであって、樹脂製のバッテリケース６０内に、図１８（ａ）以外図示されないセルを３個内包するものである。セルは、軸方向に長い円柱状であり、左右方向を向いていて、直列に接続される。尚、セルの数や接続態様等は様々に変更可能であり、例えば適宜並列接続された計６本のセル（直列接続された各３本のセルの対を互いに並列に接続したもの）により容量が更に大きくされても良いし、直列接続に係るセルの本数が増減されて、１４．４Ｖ，１８Ｖ，３６Ｖ，５８Ｖ等にされても良い。
バッテリ１０は、電動工具用であって、例えばインパクトドライバや、インパクトレンチ、スクリュードライバ、ハンマドリル、レシプロソー、マルノコといった充電式の電動工具に装着して用いられる。尚、バッテリ１０は、クリーナ、ブロワ、あるいは園芸用トリマをはじめとする園芸工具等に用いられても良い。
バッテリ１０は、図示されない弾性部材により前方に付勢されており前面から突出するバッテリ爪６１と、これと共に付勢力に抗して後方へ移動可能であり下面に露出するように配置されたバッテリレバー６２と、を備えている。又、バッテリ１０は、前面において、それぞれ上下方向に延びる、プラス端子スリット６４、マイナス端子スリット６６、及び通信端子スリット６８を備えている。更に、バッテリ１０は、これらの左右に配置された、上下方向に延び前方へ突出するレール６９を、前面に有している。
バッテリ装着部８のターミナル３６は、上下左右に広がる板状の部材であって、後面が露出するように配置されており、その後面から後方へ突出するように形成された、上下方向に延びる板状のプラス端子７０、マイナス端子７２、及び通信端子７４を有している（突出部）。
バッテリ１０は、バッテリ装着部８の下から上方へスライドさせることで装着される（スライド装着）。装着時、バッテリ装着部８のプラス端子７０、マイナス端子７２、及び通信端子７４が、順にバッテリ１０前面のプラス端子スリット６４、マイナス端子スリット６６、及び通信端子スリット６８内に入る。又、バッテリ爪６１が、バッテリ装着部８であって、ハウジング２（左ハウジング４０及び右ハウジング４２）の後面において前方へ窪むように形成された、窪み部７６に入る。
バッテリ１０を外す場合、使用者は、バッテリレバー６２を後方へ移動させることで、バッテリ爪６１を突出量の減少により窪み部７６から外れた状態としながら、バッテリ１０を下方にスライドさせる（スライド離脱）。
スライド脱着時、バッテリ１０は、バッテリ装着部８の後面の左右において前方へ凹み上下に延びるように形成されたガイド溝７８にレール６９が入り込むことにより、スライド方向に案内される。
バッテリ装着部８のコントローラ３８は、薄い直方体状の部材であって、ターミナル３６と平行に配置されており、図示されない回路基板を備えている。尚、回路基板には、モータ１１の変速を行うための素子が搭載されていても良い。又、コントローラ３８は、ハンドル部６や本体部４に配置されても良く、ハンドル部６の中心軸の方向を始めとするターミナル３８と交わる方向に向けられても良い。
【００１６】
ハンドル部６のメインスイッチ３４は、使用者により押す操作が可能である操作部としてのスイッチレバー８０と、スイッチレバー８０の操作によりオンオフが切り替わるメインスイッチ本体部８２を有している。
スイッチレバー８０は、メインスイッチ本体部８２の下側に配置されており、ハウジング２から露出している。
メインスイッチ本体部８２は、ハウジング２内に配置されており、押し込みによりオンに切り替わり押し込みの解除により下方に復帰してオフに切り替わるプッシュボタン８３を、下部に有している。
ターミナル３６と、コントローラ３８と、メインスイッチ本体部８２と、モータ１１は、図示されないリード線により、バッテリ１０からモータ１１へ電力供給可能ないし信号送信可能に接続されている。コントローラ３８とメインスイッチ本体部８２の間のリード線の外側には、リード線をまとめると共にノイズを低減する筒状のフィルタ８６が配置されている。
【００１７】
図１６（ａ）はモータ１１、ギヤアッセンブリ１２及び右ハウジング４２を除いた斜視図であり、図１６（ｂ）はロックオフレバー３５の斜視図であり、図１６（ｃ）はスイッチレバー８０の斜視図である。
スイッチレバー８０は、ハウジング２から下方に露出するスイッチレバー本体部９０と、スイッチレバー本体部９０から後方へ延びるように形成されたアーム部９２を備えている。
スイッチレバー本体部９０は、内部（左右方向中央）において前後方向に延び上方に突出する板状部９４を備えたバスタブ状の部分である。スイッチレバー本体部９０の下面は、外方（下方）に突となる曲面とされていて、使用者がどの部分を握っても押し易いようになっている。板状部９４の中央部には、更に上方に突出する円柱状のバネ保持部９６が設けられている。バネ保持部９６は、弾性体であり上下に延びるコイルバネ９８の下部を保持する。コイルバネ９８の上部は、左ハウジング４０の内面から右方に突設されたリブにより保持される。板状部９４の後部（バネ保持部９６より後方の部分）には、メインスイッチ本体部８２のプッシュボタン８３が隣接している。
アーム部９２の前端部には、左右方向に延びる軸部９９が形成されている。スイッチレバー８０は、軸部９９がハウジング２の内面に対し回転可能に受け入れられることで、軸部９９の周りで揺動可能とされている。
スイッチレバー本体部９０が上方に押されると、板状部９４の後部によりプッシュボタン８３が上方に押し込まれ、メインスイッチ本体部８２がオンに切り替わる。又、スイッチレバー本体部９０の押し込みが解除されると、プッシュボタン８３の復帰力やコイルバネ９８の弾性力により、スイッチレバー８０が下方に復帰する。スイッチレバー８０の復帰位置は、アーム部９２がハウジング２の内面に当たることで定められる。復帰位置では、プッシュボタン８３が押し込まれず、メインスイッチ本体部８２がオフに切り替わる。尚、図１１や図１５では、スイッチレバー８０は復帰位置となっている。
メインスイッチ本体部８２は、スイッチレバー８０ないしプッシュボタン８３の押し込みに応じて切替状態を変化させ、コントローラ３８は、その切替状態に応じてモータ１１への通電をオンオフする。
【００１８】
又、コントローラ３８は、後述するバッテリ１０の制御回路２０１を有している（図１８（ａ）参照）。尚、制御回路２０１は、コントローラ３８以外に配置されても良い。
制御回路２０１は、バッテリ１０が高温になった場合に給電を遮断する高温保護回路を備えている。即ち、バッテリ１０には、バッテリセルＶ１ｓの温度を検出するサーミスタ２０８が内蔵されており、制御回路２０１は、サーミスタ２０８が検出した温度が閾値以上となった場合に、バッテリ１０のモータ１１への通電を遮断する。尚、制御回路２０１は、所定時間内に閾値以上の温度が複数回検出された場合等に、バッテリ１０の通電を遮断しても良く、即ち制御回路２０１における温度ないし遮断の条件等は、様々に変更されても良い。
又、制御回路２０１は、過電流が流れた場合に給電を遮断する過電流保護回路を備えている。即ち、制御回路２０１は、マルチカッタ１の作動中（モータ１１駆動中）における通電電流の電流値を把握し、当該電流値が閾値以上となった場合に、バッテリ１０のモータ１１への通電を遮断する。尚、制御回路２０１における電流値ないし遮断の条件等は、様々に変更されても良い。
更に、制御回路２０１は、過放電となった場合に給電を遮断する過放電保護回路を備えている。即ち、制御回路２０１は、バッテリ１０の電圧値を把握し、当該電圧値が閾値以下となった場合に、バッテリ１０のモータ１１への通電を遮断する。尚、制御回路２０１における電圧値ないし遮断の条件等は、様々に変更されても良い。又、高温保護回路、過電流保護回路、過放電保護回路のうちの少なくとも何れかは、省略されても良い。
【００１９】
ロックオフレバー３５は、左右に延びる棒状の部材であり、モータ１１の隣接位置（下側）においてハウジング２を貫通していて、中央部がハウジング２内に位置した状態において、所定の移動範囲内で左右に移動可能である。ロックオフレバー３５は、前後や上下には移動不能である。
ロックオフレバー３５は、ロックオフレバー本体部１００と、ロックオフレバー本体部１００の中央部から後方に延びる柱状の突部１０２と、ロックオフレバー本体部１００の中央部から前方に突出したバスタブ状のバネ保持部１０３と、を有する。
ロックオフレバー本体部１００の中央上部には、楕円筒面状に下方へ凹んだ凹部１０４が形成されている。凹部１０４内には、モータ１１の下部が入っており、凹部１０４はモータ１１を避けている。
突部１０２は、スイッチレバー８０のスイッチレバー本体部９０における板状部９４の前部の上側に達している。
バネ保持部１０３には、弾性体としてのバネ１０６が、左右方向において伸縮可能に保持されている。バネ１０６の一端は、バネ保持部１０３の内壁に接触しており、他端は、左ハウジング４０の内面に接触している。
ロックオフレバー３５がその移動範囲の中央に位置していると、バネ１０６は自然長となっており、突部１０２は、復帰位置における板状部９４の前部の真上（スイッチレバー８０の押し込み側）に位置して板状部９４に接触し、スイッチレバー８０の上方への揺動を阻止する（ロック）。
他方、ロックオフレバー３５が、バネ１０６の付勢力に抗して移動範囲の左あるいは右に移動されると、突部１０２は、板状部９４の左あるいは右にずれて、上方に押されたスイッチレバー本体部９０内に相対的に進入可能となり、スイッチレバー８０の上方への揺動を許容する（ロック解除）。スイッチレバー本体部９０内に入った突部１０２は、バネ１０６により中央位置に戻ろうとしても、板状部９４の左面あるいは右面により止められる。
スイッチレバー８０が押し込み位置から復帰位置へ復帰すると、バネ１０６によりロックオフレバー３５が中央に戻り、ロックオフレバー３５が左あるいは右に移動操作されるまでスイッチレバー８０をロックする。
ロックオフレバー３５の凹部１０４は、その移動範囲内の何れの位置においても、モータ１１を避ける（モータ１１に軽く接触しあるいはモータ１１から離れる）ような形状となっている。
【００２０】
モータ１１は、ブラシ付きであり、左ハウジング４０及び右ハウジング４２（本体部４後部）内に入れられている。尚、モータ１１は、ブラシレスモータ（ブラシレスＤＣモータ）であっても良い。
【００２１】
ギヤアッセンブリ１２のギヤケース２２は、後部にモータ接続部２３を有する筒状の後ギヤケース１１０と、後ギヤケース１１０の前端部に接続される、半割の上ギヤケース１１２ないし下ギヤケース１１４を有する。
ギヤケース２２の割面は、上ギヤケース１１２と下ギヤケース１１４において前後左右に広がる面（前下がり）であり、これらと後ギヤケース１１０において上下左右に広がる面（下部に対してより前方となる上部を有する）であって、左ハウジング４０と右ハウジング４２における前後上下に広がる割面に対して交わる（略直交する）ものとなっている。
後ギヤケース１１０のモータ接続部２３は、モータ軸孔１１６と、その上下のネジ孔１１８を有している。モータ接続部２３には、モータ１１が、各ネジ孔１１８を通されたネジ１２０により取り付けられている。モータ軸孔１１６内には、モータ軸２０（ピニオン２１）が通る。
上ギヤケース１１２には複数のネジ穴１２２が設けられ、下ギヤケース１１４の対応する位置にはネジボス部１２４が設けられて、ネジ穴１２２とネジボス部１２４の対毎にネジ１２６が通されて、上ギヤケース１１２と下ギヤケース１１４が組み合う。
【００２２】
ギヤアッセンブリ１２は、遊星歯車機構１３０と、前後に延びる円柱状のスピンドル１３２と、スピンドル１３２の後端部に保持される第１かさ歯車１３４と、出力軸２４の中央部に保持される第２かさ歯車１３６を備える。遊星歯車機構１３０と、スピンドル１３２と、第１かさ歯車１３４の各中心軸は、ギヤアッセンブリ１２の中心軸Ｍ１として一致しており、本体部４の中心軸の方向に沿っている。ギヤアッセンブリ１２の中心軸Ｍ１と本体部４の中心軸は、上面視で一致している。
減速機構としての遊星歯車機構１３０は、後ギヤケース１１０に保持される円筒状のインターナルギヤ１４０と、その後部内側で自転しながら公転する一段目の遊星歯車群（３個の遊星歯車１４１）と、これらの後面側に配置されるリング状のプレート１４２と、各遊星歯車１４１を後方へ突出するピン１４３で回転可能に支持して共に公転する一段目のキャリア１４４と、その前部中央の歯車部１４５に噛み合いインターナルギヤ１４０の前部内側で自転しながら公転する二段目の遊星歯車群（３個の遊星歯車１４６）と、これらを後方へ突出するピン１４７で回転可能に支持して共に公転する二段目のキャリア１４８と、を備えている。一段目の遊星歯車１４１には、モータ軸２０のピニオン２１が噛み合っている。二段目のキャリア１４８の中央部には、スピンドル１３２の後端部を保持するスピンドル孔１４９が開けられている。尚、遊星歯車機構１３０は、二段のものに限らず、一段のものでも三段以上のものでも良い。又、遊星歯車機構１３０以外の減速機構が用いられても良いし、減速機構が省略されても良い。
【００２３】
スピンドル１３２は、中央部が両端部より拡径された拡径部とされており、その拡径部に配置された軸受１５０によって回転可能に支持されている。軸受１５０とキャリア１４８の間であって、上ギヤケース１１２と下ギヤケース１１４の内面から内方に突設された壁体には、キャリア１４８を位置決めするリング１５２が設けられている。
スピンドル１３２の第１かさ歯車１３４は、出力軸２４の第２かさ歯車１３６と噛み合っている。
出力軸２４の右端部には、オイルレスベアリング１５４が配置されている。又、出力軸２４の左端部は、他の部分に対して拡径された拡径部とされており、その拡径部にはボールベアリング１５６が配置されている。出力軸２４は、オイルレスベアリング１５４とボールベアリング１５６によって回転可能に支持されており、１本の出力軸２４に対する２個の軸受の配置によって、安定して支持される。又、比較的に大きい応力がかかる第２かさ歯車１３６の固定部付近に、応力対抗性能の高いボールベアリング１５６が配置され、比較的に小さい応力がかかる出力軸２４の基端部に、低コストでコンパクトなオイルレスベアリング１５４が配置されるので、出力軸２４の支持機構が、必要十分な性能を備えながら、低コストでコンパクトとなり、マルチカッタ１の操作性が向上する。尚、オイルレスベアリング１５４やボールベアリング１５６やその他の軸受として、他の形式のものが用いられても良い。
出力軸２４の左端部は、ギヤケース２２ないし左ハウジング４０から露出している。出力軸２４の中心軸Ｍ２（回転刃２６の回転軸）は、中心軸Ｍ１に対して、角度（９０°）を有していて、左右方向を向いている。第１かさ歯車１３４と第２かさ歯車１３６は、動力の方向を変換する方向変換機構を構成する。方向変換機構は、かさ歯車の組合せ以外のものであっても良く、減速の機能を合わせて有していても良い。又、方向変換機構が省略されても良い。
【００２４】
出力軸２４の左端部には、ネジ２７のためのネジ孔部１６０が形成されている。回転刃２６は、ネジ２７をネジ孔部１６０のネジ孔に入れることにより装着される。ネジ孔部１６０におけるネジ孔の周辺部は、Φ字状に左方へ突出している。
回転刃２６は、正十角形状であり、周辺部に刃を有するところ、他の正多角形状であっても良いし、円形状であっても良い。回転刃２６の中央には、ネジ孔部１６０の突出形状に対応する形状に開けられた中央孔１６２が設けられ、中央孔１６２がネジ孔部１６０の突出部に入ることにより、回転刃２６の出力軸２４に対する相対的な回転が止められる。回転刃２６の周縁には、複数の円形の小孔１６４が、周方向に並べられている。小孔１６４の設置により、回転刃２６の軽量化や放熱特性の良好化が図られる。尚、ネジ孔部１６０の突出部や中央孔１６２の形状は、回転止めがなされれば、他の形状であっても良い。又、小孔１６４の形状は円形に限られず、多角形や長孔（スリット）等であっても良いし、小孔１６４の数や配置も様々に変更されて良い。
【００２５】
ベース３０は、ベース本体部１７０と、固定刃保持部１７２を有する。
ベース本体部１７０は、断面［字状の後部と断面Ｌ字状の前部を有する折り曲げ板状の部材である。尚、ベース本体部１７０の形成は、薄板の折り曲げによる他、複数の板状部材のの組合せや、厚板の接合等によっても良い。
ベース本体部１７０の前部は、先の尖った鉤状、矢尻状あるいは爪状に形成されており、又その後上端が固定刃２８の上部と連続するように配置されていて、被切断物を円滑に導入する。
ベース本体部１７０の前後方向の長さは、回転刃２６の直径の約２倍以上あるいは固定刃２８の長さの約３倍以上と十分に長くなっており、被切断材が切断を継続し易い後方に良好に案内される。
又、図４に示されるように、ベース本体部１７０の下面部の後端部と、装着されたバッテリ１０の下面が、平面Ｔ（机の天面や床面）に接触する状態で、使用者は、マルチカッタ１を平面Ｔ上に立てて置ける。ベース本体部１７０は下面部を有するように形成され、比較的に重量の大きいモータ１１が中央に配置されて、バッテリ１０装着時には比較的に重いバッテリ１０とモータ１１が前後に分かれる。又、バッテリの１０の後面が、平面Ｔ２（机の天面や床面）に接触する状態で、使用者は、マルチカッタ１を平面Ｔ２上に立てて置ける。この場合、比較的に重いバッテリ１０が下側に位置する。かように、マルチカッタ１は、バッテリ１０を利用した接地姿勢を、２種類有する。
固定刃保持部１７２は、前後に伸びる板バネ状の部材であり、後端部がスペーサ１７４を介してベース本体部１７０の後部右面に対し複数のリベット１７６で止められることで、ベース本体部１７０に保持されている。固定刃保持部１７２は、後部がベース本体部１７０に沿い、前部が前方に行くほど左右方向でベース本体部１７０に近づくように、中央部で折り曲げられている（図１０）。そして、固定刃保持部１７２の前端部に、固定刃２８が取り付けられている。尚、固定刃保持部１７２や固定刃２８は、リベット１７６，３１以外により固定されても良く、例えばボルトとナットで固定されても良い。
ベース本体部１７０の後部であって、リベット１７６の上側には、ネジ孔１８０と、その後方に配置されるネジボス孔１８２が開けられている。
ベース本体部１７０は、左ハウジング４０の前端部外面（孔４５の上側）に形成された前後方向の溝１８４（図１２）に対して上端部が入れられた状態で、溝１８４の下側（孔４５の前側）に形成されたネジ孔１８６とネジ孔１８０にネジ１８８を入れることで、左ハウジング４０に取り付けられている。
ベース３０のみをハウジング２に対し取り付ける固定部材は、ネジ１８８一本である。
ベース本体部１７０の上端部は、図１２に示されるように、当該上端部における他の部分（後部）に対して前方へ突出する突出部１８９を有している。当該上端部後部や突出部１８９は、前後左右に広がっている。当該上端部後部は、ベース本体部１７０の上下に延びる部分（ベース本体部１７０後部）の上辺と、略同一の前後方向寸法を有していて、側面視で略同幅となっている。ベース本体部１７０の上端部は、突出部１８９により、回転刃２６を避けながら前後方向の長さを大きく確保することができ、取付強度の高い状態でハウジング２に取り付けられる。
【００２６】
固定刃２８は、上面の左辺が頂点となり右辺にかけて下方となる刃を有しており、左面上部において回転刃２６の右面下端部に接している。
回転刃２６は、刃が右面の辺部において頂点となり左面の辺部にかけて径方向内方となるように装着され、モータ軸２０と平行になるように装着される。回転刃２６は、右面（裏スキ面）において固定刃２８の左面（固定刃２８の裏スキ面）に合わさる。固定刃２８は、より詳細には、前上部において回転刃２６と点接触している。尚、回転刃２６と固定刃２８の接触は、線接触であっても良いし、面接触であっても良い。
回転刃２６の裏スキ面あるいはその延長面（図８の中心線Ｍ３参照）は、ギヤアッセンブリ１２の中心軸Ｍ１と平行であり、出力軸２４の中心軸Ｍ２に対して垂直である。
固定刃２８の下方には、ベース本体部１７０の前後左右に延びる下面部が配置されており、切断のため被切断材が回転刃２６と固定刃２８の間に入って、固定刃２８が大きく下方に移動したとしても、ベース本体部１７０（下面部）が、固定刃２８を支えて、固定刃２８や固定刃保持部１７２を保護する。
【００２７】
ブレードカバー４４は、回転刃２６の下部以外の周辺やネジ１８８を覆う側面視フック状の部材であり、次のようにして、ベース３０や左ハウジング４０、右ハウジング４２と、共通の固定部材で固定（共締め）されている。
即ち、図９に示されるように、ブレードカバー４４における前方のネジボス部４９が、左ハウジング４０の孔４５を通過して、右ハウジング４２のネジ孔４７に達する状態で、ネジ孔４７と孔４５とネジボス部４９にネジ１９０が通されることで、ブレードカバー４４と左ハウジング４０と右ハウジング４２が共締めされる。
又、後方のネジボス部４９が、ベース本体部１７０のネジボス孔１８２と左ハウジング４０の孔４５を通過して、右ハウジング４２のネジ孔４７に達する状態で、ネジ孔４７と孔４５とネジボス部４９（とネジボス孔１８２）にネジ１９０が通されることで、ブレードカバー４４とベース３０と左ハウジング４０と右ハウジング４２が共締めされる。
ベース３０や、固定刃保持部１７２、固定刃２８は、複数箇所（前後２箇所）で取り付けられるので、取付先に対して相対的に回転する事態が防止され、強固に取り付けられる。尚、これらの少なくとも何れかにおける取付箇所は、１箇所あるいは３箇所以上とされても良い。
【００２８】
ブレードカバー４４の前面から上面にかけての中央部には、上面視で前後方向の直線となる墨線（目印）１９２が配置されている。尚、墨線１９２は、後面まで延ばしたり、前面の部分を省略したり、幅を狭くあるいは広くする等、適宜寸法を変更することができる。又、目印は、墨線１９２の形状即ち線の形状に限られず、三角形を始めとする図形等であっても良い。目印は、三角形の場合、前方に鋭角を向けるように配置されると好ましい。
墨線１９２は、使用者にとって切断方向の目安となる。
墨線１９２は、ブレードカバー４４の複数色（二色）一体成形により、印刷や塗装によらずに、ブレードカバー４４の他の部分と異なる色で形成され、変色が施されている。ここでは、墨線１９２以外の部分が黒色の樹脂材料とされ、墨線１９２が白色（黒色に対してコントラストの高い色）の樹脂材料とされ、インサート成形により形成されている。又、墨線１９２は、ブレードカバー４４の他の部分から外方へ突出するように形成されており、他の部分に対する突出が施されている。尚、複数色一体成形の方式や色の種類は、上述のものに限られず、例えば二色成形が用いられても良い。又、白色樹脂材料（墨線１９２の材料）と黒色樹脂材料（墨線１９２以外の材料）は、同種のものであっても別種のものであっても良く、墨線１９２の材料は例えばエラストマとすることができる。更に、回転刃２６の回転方向を示す矢印やロゴ等が、墨線１９２と同色ないし同素材で、あるいは墨線１９２やその他の部分と別色ないし別素材で形成されても良い。加えて、墨線１９２において、変色又は突出が省略されても良い。又、墨線１９２は、他の部分より窪む凹みで形成されても良い。
【００２９】
墨線１９２あるいはその延長線（図８の中心線Ｍ４参照）は、回転刃２６の裏スキ面あるいはその延長面（中心線Ｍ３参照）に対して、前方へ行くほど右側（回転刃２６から視て固定刃２８の有る側）となり、後方へ行くほど左側（回転刃２６から視て固定刃２８から離れる側）となるように傾いている。換言すれば、墨線１９２あるいはその延長線は、前側が左右方向の内側に傾くように配置されており、回転刃２６の前部が墨線１９２の方向に対して左（外側）に出るように左向きとなる。
又、ブレードカバー４４の一部（左面）や、ベース３０の一部（ベース本体部１７０ないし固定刃保持部１７２の後部）も、墨線１９２と同じ方向とされている。尚、ブレードカバー４４の全部やベース３０の全部が墨線１９２と同じ方向とされても良い。又、墨線１９２、ブレードカバー４４、ベース３０の内の少なくとも何れかが傾けられなくても良い。更に、回転刃２６の裏スキ面がギヤアッセンブリ１２の中心線Ｍ１の方向や本体部４の方向から傾けられても良く、この場合に、墨線１９２やブレードカバー４４、ベース３０の内の少なくとも何れかが中心線Ｍ１の方向や本体部４の方向と同じ方向とされても良い。
かように墨線１９２やブレードカバー４４、ベース３０が、回転刃２６の裏スキ面あるいはその延長面に対して傾けられることにより、切断方向の目安が回転刃２６から視て固定刃２８寄りとなり、固定刃２８が外側（右側）へ広がろうとする力がかかり難くなって、安定した切断が確保される。
このことは、使用者が切断方向を左へ大きく曲がる方向として切断する場合を考えると、より明確に理解される。即ち、この場合、固定刃２８が被切断材から右方への力を受け、固定刃２８が右側へ移動して回転刃２６から広がるように離れる可能性がある。これに対し、逆に使用者が右へ大きく曲がるように切断する場合では、固定刃２８が左方への力を受けるところ、左へ移動しようとする固定刃２８は回転刃２６に受け止められ、結局固定刃２８の広がりは阻止される。
マルチカッタ１では、墨線１９２やブレードカバー４４、ベース３０が、回転刃２６の裏スキ面あるいはその延長面に対して傾けられた分、固定刃２８の広がりが抑制され、又左曲がりの切断が安定する。
墨線１９２や、ブレードカバー４４、ベース３０の、回転刃２６の裏スキ面あるいはその延長面に対する角度は、小さすぎると切断安定性の向上が十分に図れず、大きすぎると実際の切断方向から離れて切断の目安としての機能が阻害されることから、好ましくは１°以上５°以下であり、より好ましくは２°以上４°以下である。尚、墨線１９２や、ブレードカバー４４、ベース３０の少なくとも何れかにおいて、互いに異なる角度で傾けられていても良い。
【００３０】
図１７（ａ）は図１０の前部拡大図であり、図１７（ｂ）は図３の前下部拡大図であり、図１７（ｃ）は図３のＥ−Ｅ下部断面図であって回転刃２６と固定刃２８の接触点を含む断面の図である。
特に図１７（ａ）に示されるように、ベース本体部１７０の鉤状の前端部Ｆ１は、固定刃保持部１７２の前端部Ｆ２の左方に位置しており、前端部Ｆ２と側面視（特に左側から右方へ視た場合）でオーバーラップしており、即ち左右方向でオーバーラップしている。ベース本体部１７０の前端部Ｆ１は、固定刃２８の前部に隣接している（固定刃前部隣接部分）。固定刃保持部１７２の前端部Ｆ２は、これより後方の部分に対して、前方へ行くほど右方（ベース本体部１７０から離れる方向）となるように曲げられている。
又、特に図１７（ｂ）に示されるように、ベース本体部１７０の上下方向に延びる後部に係る弧状の前辺の下端部である弧下端部Ｒ１は、固定刃２８の後下部Ｒ２の左方に位置しており、後下部Ｒ２と側面視で即ち左右方向でオーバーラップしている。ベース本体部１７０の弧下端部Ｒ１は、固定刃２８の後部に隣接している（固定刃後部隣接部分）。
固定刃２８は、ベース本体部１７０と固定刃保持部１７２の間の前端部Ｆ１，Ｆ２の間隔や、ベース本体部１７０と固定刃２８の間の弧下端部Ｒ１，後下部Ｒ２の間隔により、左方への移動が許容され、又その間隔を超える左方への移動が阻止される。固定刃２８は、被切断材からの作用力により、これらの間隔分だけ左方に移動すると、ベース本体部１７０の前端部Ｆ１，弧下端部Ｒ１が、固定刃保持部１７２の前端部Ｆ２，固定刃２８の後下部Ｒ２に接触して、それ以上の固定刃２８の左方への移動が食い止められる。
尚、ベース本体部１７０は、前端部Ｆ１において固定刃２８と側面視でオーバーラップしていても良いし、弧下端部Ｒ１において固定刃保持部１７２と側面視でオーバーラップしていても良い。又、ベース本体部１７０は、前端部Ｆ１及び弧下端部Ｒ１の何れか一方において、固定刃保持部１７２や固定刃２８と、側面視でオーバーラップしていても良い。更に、ベース本体部１７０は、前端部Ｆ１と弧下端部Ｒ１以外の部分において、固定刃保持部１７２や固定刃２８と、側面視でオーバーラップしていても良い。
【００３１】
又、特に図１７（ａ）の二点鎖線（ベース本体部１７０の下部に相当する）や図１７（ｃ）に示されるように、ベース本体部１７０の下部は、固定刃２８と、上面視で即ち上下方向でオーバーラップしている。
即ち、ベース本体部１７０の下部における起立部分の肉厚部（左右方向の厚み）の上方に、上下前後に広がる固定刃２８が位置している。
より詳細には、非切断状態において、上面視で、ベース本体部１７０の当該肉厚部の右部が固定刃２８の前左部とオーバーラップしており、左右方向において、回転刃２６と固定刃２８の接触点付近でベース本体部１７０の当該肉厚部の厚さの半分ほどと固定刃２８の厚さの３分の２ほどがオーバーラップしており、固定刃２８の前端付近でベース本体部１７０の当該肉厚部の厚さの略全部と固定刃２８の厚さの略全部がオーバーラップしている。ベース本体部１７０と固定刃２８の間隔は、被切断材に係る想定される最大の厚み程度以下とされている。尚、オーバーラップの部分や量は、様々に変更することができる。
かようにベース本体部１７０が固定刃２８と間隔を有し、上下方向でオーバーラップしていることにより、固定刃２８は、被切断材から下方への力を受けた場合に、被切断材の厚み程度の下方への移動が許容され、又それ以上の下方への移動が、ベース本体部１７０との接触により阻止される。更に、固定刃２８は、かような接触によりベース本体部１７０に支持され、更に下方への力を受けることで、下部に対して上部が左側となるように左方へ傾斜したりその逆の右方へ傾斜したりする事態が防止される。ベース本体部１７０による固定刃２８の支持は、図１７（ｄ）においても現れている。尚、各種の間隔は、寸法を増減されたり、省略されたりしても良い。
【００３２】
図１８（ａ）には、バッテリ１０の制御回路２０１が示される。
バッテリ１０の制御回路２０１は、残容量検出回路２０２と、それに接続された４個の発光ダイオードＬＥＤ１ｓ〜ＬＥＤ４ｓを含む残容量表示回路２０４と、残容量検出回路２０２に接続された残容量表示スイッチ２０６と、サーミスタ２０８と、電源プラス端子２１０と、電源マイナス端子２１２と、バッテリ側通信端子２１４，２１６，２１８と、を有している。
バッテリ１０は、残容量表示スイッチ２０６、及び残容量表示回路２０４を、表面部において有している（図１８（ａ）以外図示略）。これらは、バッテリ装着部８に隠れる部分（前面）以外のバッテリ１０の表面部に配置されており、ここではバッテリ１０の上面部に配置されている。又、バッテリ１０のプラス端子スリット６４に電源プラス端子２１０が設けられ、マイナス端子スリット６６には電源マイナス端子２１２が設けられ、通信端子スリット６８にバッテリ側通信端子２１４，２１６，２１８が設けられる（図１８（ａ）以外図示略）。更に、バッテリ１０は、３個のバッテリセルＶ１ｓ〜Ｖ３ｓを備えている。
バッテリ装着部８のプラス端子７０は、装着状態のバッテリ１０における電源プラス端子２１０と接触して電気的に接続され、同様にマイナス端子７２は電源マイナス端子２１２と接続され、通信端子７２はバッテリ側通信端子２１４，２１６，２１８と接続される。
【００３３】
残容量検出回路２０２は、バッテリセルＶ１ｓ〜Ｖ３ｓの電圧に応じたバッテリ１０の残容量を検出するものであり、残容量表示スイッチ２０６からオン信号を受信すると、バッテリ１０の残容量を、残容量表示回路２０４において表示させる。残容量検出回路２０２は、例えば、残容量が使用時最大容量の４分の１毎に１灯ずつ発光ダイオードの点灯数を増加させ、所定時間経過後に全て消灯させる。使用者は、残容量表示スイッチ２０６の操作により、装着状態においても、又取り外した状態においても、バッテリ１０の残容量を残容量表示回路２０６（残容量表示部）において確認することができる。装着状態では、残容量表示スイッチ２０６が上部に位置して操作し易く、又残容量表示回路２０６が上部に位置して視認し易い。尚、バッテリ１０の残容量は、４個の発光ダイオードＬＥＤ１ｓ〜ＬＥＤ４ｓの一部又は全部の点消灯以外の態様で表示されても良い。
サーミスタ２０８は、バッテリ側通信端子（Ｔ端子）２１８と接続されており、又バッテリセルＶ１ｓの隣接位置に配置されていて、その抵抗値の情報即ちバッテリ１０（バッテリセルＶ１ｓ）の温度情報を、バッテリ側通信端子２１８を通じて提供可能である。
又、電源マイナス端子２１２に対して、バッテリ側通信端子（Ｖ２端子）２１６は、バッテリセルＶ１ｓと接続されており、バッテリセルＶ１ｓに関する電圧の情報を提供可能である。更に、電源マイナス端子２１２に対して、バッテリ側通信端子（Ｖ２端子）２１４は、バッテリセルＶ１ｓ，Ｖ２ｓと接続されており、バッテリセルＶ１ｓ，Ｖ２ｓに関する電圧の情報を提供可能である。
【００３４】
このようなマルチカッタ１の動作例が説明される。
使用者が、充電されたバッテリ１０をバッテリ装着部８にスライド装着し、ハンドル部６を把持して、ロックオフレバー３５を左又は右へ押しながらスイッチレバー８０を上へ押すと、メインスイッチ本体部８２における切替により、バッテリ１０からモータ１１への給電がなされ、モータ１１のモータ軸２０が駆動される。スイッチレバー８０は、メインスイッチ本体部８２を介してモータ１１のオンオフを切替えるものであり、モータ１１のオンオフを操作するスイッチ操作部であって、スイッチレバー８０とメインスイッチ本体部８２はモータ１１のスイッチを構成する。
モータ軸２０の回転力は、ギヤアッセンブリ１２の遊星歯車機構１３０により減速され、第１かさ歯車１３４及び第２かさ歯車１３６により方向変換されてスピンドル１３２に伝わり、スピンドル１３２の回転力は、出力軸２４を介して回転刃２６に伝わる。回転刃２６は、回転により、固定刃２８に対する接触位置を前後させる。
使用者は、紙や織物、薄板等の被切断材を、回転刃２６と固定刃２８の間にその前側から導入した状態で、回転刃２６を回転させ、墨線１９２を目安としつつ、被切断材を、所望の切断方向で回転刃２６や固定刃２８に対して相対的に移動させながら、後方へ送って切断する。
【００３５】
以上のマルチカッタ１は、モータ１１と、モータ１１により駆動される回転刃２６と、回転刃２６に対向して配置される固定刃２８と、モータ１１が保持されるハウジング２と、ハウジング２に形成されており電動工具用のバッテリ１０を装着可能であるバッテリ装着部８と、を備えており、バッテリ装着部８は、バッテリ１０を案内するガイド溝７８を有している。よって、使用者は、充電後のバッテリ１０を装着したり、充電のためにバッテリ１０を取り外したりする場合に、ハウジング２を開けたりすることなくスライドにより容易にバッテリ１０を着脱することができる。
又、バッテリ装着部８は、ハウジング２の後端部に配置されており、ガイド溝７８は、上下方向に延びる。よって、使用者は一方の手でハウジング２（ハンドル部６）を支えながら他方の手でハウジング２端部にバッテリ１０をスライド着脱することができ、バッテリ１０がより一層容易に着脱可能である。
更に、バッテリ装着部８に装着可能なバッテリ１０を有しており、バッテリ１０は、ガイド溝７８に入るレール６９を有している。よって、バッテリ１０のスライドがバッテリ装着部８により案内され、バッテリ１０がより一層スライド着脱し易い。
又更に、固定刃２８を保持する固定刃保持部１７２及びこれを保持するベース本体部１７０を有するベース３０を備えており、回転刃２６は、左右方向の中心軸Ｍ２の周りで駆動され、固定刃２８は、回転刃２６の右面に隣接して配置され、ベース本体部１７０の前端部Ｆ１，弧下端部Ｒ１は、順に固定刃保持部１７２（前端部Ｆ２），固定刃２８（後下部Ｒ２）と、左右方向でオーバーラップしている。よって、固定刃２８が被切断材に左右方向で押されることにより、固定刃２８が僅かに移動することを切断の質の確保や固定刃２８の保護の観点から許容しつつ、固定刃２８や固定刃保持部１７２がベース本体部１７０を乗り越えようとする程度にベース本体部１７０の左右方向外方へ大きく移動しようとしても、ベース本体部１７０がオーバーラップ部分により固定刃２８及び固定刃保持部１７２の外方への移動を阻止する。従って、固定刃２８の左右方向における極端な移動が防止され、マルチカッタ１における被切断材の切断がより安定する。又、固定刃２８は、回転刃２７やベース本体部１７０を乗り越えてそれらの外側（左側）へ移動することが防止され、よってマルチカッタ１における被切断材の切断がより安定する。
更に、固定刃２８を保持する固定刃保持部１７２及びこれを保持するベース本体部１７０を有するベース３０を備えており、回転刃２６は、左右方向の中心軸Ｍ２の周りで駆動され、固定刃２８は、回転刃２６の左面又は右面に隣接して配置され、ベース本体部１７０は、固定刃２８と、上下方向でオーバーラップしている。よって、固定刃２８が比較的に肉厚の大きい被切断材の切断時に上下方向で押されることにより、固定刃２８が僅かに移動することを切断の質の確保や固定刃２８の保護ないし様々な被切断材への対応の観点から許容しつつ、固定刃２８が回転刃２６やベース本体部１７０を乗り越えて左側へ移動しようとしたり、又略垂直姿勢から左右方向（特に固定刃２８の下辺に対して上辺が左方となる方向）に倒れる傾斜姿勢となろうとしたりしても、ベース本体部１７０が、オーバーラップ部分により、固定刃２８及び固定刃保持部１７２の上下方向外方への移動を阻止し、又固定刃２８を接触により支持して固定刃２８の傾斜を防止する。従って、固定刃２８の上下方向における極端な移動や、固定刃２８の傾斜姿勢が防止され、マルチカッタ１における被切断材の切断がより安定する。
更に、回転刃２６の外方に配置されるブレードカバー４４を備えており、回転刃２６は、左右方向の中心軸Ｍ２の周りで駆動され、固定刃２８は、回転刃２６の左面又は右面に隣接して配置され、ブレードカバー４４の一部（左面や墨線１９２）は、前方へ行くほど回転刃２６から視て固定刃２８の有る側（右側）へ向かう形状となっている。よって、使用者がブレードカバー４４の当該一部を目安として切断すれば、固定刃２８の広がりが抑制され、又回転刃２６から視て固定刃２８の有る側と逆側（左側）へ曲がる切断が安定する。
更に、固定刃２８を保持する固定刃保持部１７２及びこれを保持するベース本体部１７０を有するベース３０を備えており、回転刃２６は、左右方向の中心軸Ｍ２の周りで駆動され、固定刃２８は、回転刃２６の左面又は右面に隣接して配置され、ベース３０の一部（ベース本体部１７０ないし固定刃保持部１７２の後部）は、前方へ行くほど回転刃２６から視て固定刃２８の有る側（右側）へ向かう形状となっている。よって、ベース３０の当該一部によって、被切断材が固定刃２８の広がりの抑制ないし左曲がりの切断の安定のための切断方向に自然に案内される。
【００３６】
又、マルチカッタ１は、モータ１１と、モータ１１により左右方向の中心軸Ｍ２の周りで駆動される回転刃２６と、回転刃２６の右面に隣接して配置される固定刃２８と、回転刃２６の外方に配置されるブレードカバー４４と、を備えており、ブレードカバー４４の一部（左面や墨線１９２）は、前方へ行くほど回転刃２６から視て固定刃２８の有る側（右側）へ向かう形状となっている。よって、使用者がブレードカバー４４の当該一部を目安として切断すれば、固定刃２８の広がりが抑制され、又回転刃２６から視て固定刃２８の有る側と逆側（左側）へ曲がる切断が安定する。
加えて、回転刃２６は、モータ１１のモータ軸２０と平行である。よって、ブレードカバー４４の当該一部が若干傾いているマルチカッタ１において、回転刃２６やその駆動のためのモータ１１、あるいはモータ１１と回転刃２６の間の動力伝達機構、又は回転刃２６に対向する固定刃２８が配置し易い。
更に、ブレードカバー４４の一部は、他の部分に対する突出及び変色の双方が施された墨線１９２である。よって、固定刃２８の広がりの抑制ないし左曲がりの切断の安定のための目安である墨線１９２がより視認し易くなる。
又、墨線１９２は、ブレードカバー４４の他の部分と共に複数色一体成形される。よって、墨線１９２付きのブレードカバー４４が形成し易いし、墨線１９２が摩耗により薄くなったり消えたりする事態が防止される。
又更に、マルチカッタ１は、モータ１１と、モータ１１により左右方向の中心軸Ｍ２の周りで駆動される回転刃２６と、回転刃２６の右面に隣接して配置される固定刃２８と、固定刃２８を保持するベース３０と、を備えており、ベース３０の一部（ベース本体部１７０ないし固定刃保持部１７２の後部）は、前方へ行くほど回転刃２６から視て固定刃２８の有る側（右側）へ向かう形状となっている。よって、ベース３０の当該一部によって、被切断材が固定刃２８の広がりの抑制ないし左曲がりの切断の安定のための切断方向に自然に案内される。
【００３７】
加えて、マルチカッタ１は、モータ１１と、モータ１１により駆動される回転刃２６と、回転刃２６に対向して配置される固定刃２８と、モータ１１が保持される半割のハウジング２（左ハウジング４０，右ハウジング４２）と、回転刃２６の外方に配置されハウジング２に取り付けられるブレードカバー４４と、を備えており、ブレードカバー４４及び半割のハウジング２のそれぞれは、共通の固定部材（ネジ１９０）で固定される。よって、マルチカッタ１の部品点数が削減され、又必要な固定構造の数が減少して、省略された固定構造の分だけ省スペースとなり、マルチカッタ１がよりコンパクトになる。
更に、ネジ１９０が通るネジボス部４９（固定部材受入部）は、ベース３０に設けられたネジボス孔１８２（固定部材受入部貫通孔）に入る。よって、更にベース３０の固定構造についても共通化することができ、部品点数が更に削減され、マルチカッタ１が一層コンパクトになる。
【００３８】
又、マルチカッタ１は、モータ１１と、モータ１１に接続されるギヤアッセンブリ１２と、ギヤアッセンブリ１２により駆動される回転刃２６と、回転刃２６に対向して配置される固定刃２８と、モータ１１及びギヤアッセンブリ１２が保持されるハウジング２と、を備えており、ギヤアッセンブリ１２は、ギヤケース２２を有している。よって、ギヤアッセンブリ１２の内部構造（遊星歯車機構１３０，スピンドル１３２，第１かさ歯車１３４，第２かさ歯車１３６，出力軸２４の基端部等）がハウジング２とギヤケース２２により二重に保護され（二重構造）、ギヤアッセンブリ１２内に塵埃等が進入して作動を妨げる事態が防止されるし、ギヤアッセンブリ１２内におけるグリス等の潤滑材が外部に流出する事態が防止される。
更に、ハウジング２は半割であり（左ハウジング４０，右ハウジング４２）、ギヤケース２２は、ハウジング２の割面と交わる方向の割面を有している。よって、ハウジング２やギヤケース２２は分割構造となって組立やメンテナンスが容易になる。又、ギヤケース２２内のグリス等が割面から万一流出したとしても、その割面からハウジング２の割面が方向を違えて配置されることから、グリス等が更にハウジング２から流出し難くなるし、塵埃等がハウジング２の割面から進入したとしても、更にギヤケース２２内へ進入し難くなる。
【００３９】
加えて、マルチカッタ１は、モータ１１と、モータ１１により駆動される回転刃２６と、回転刃２６に対向して配置される固定刃２８と、モータ１１が保持されるハウジング２と、ハウジング２においてスイッチレバー８０が押し込み可能であるように配置されたメインスイッチ３４と、スイッチレバー３０の押し込みをロックし又はロック解除するロックオフレバー３５（ロック部材）と、を備えており、ロックオフレバー３５は、モータ１１に隣接しており、モータ１１を避ける凹部１０４を有している。よって、ロックオフレバー３５の操作部分（ロックオフレバー本体部１００の左面や右面）が十分な大きさで確保された状態で、ロックオフレバー３５が凹部１０４の分だけモータ１１に接近するように配置されることとなり、マルチカッタ１では、ロックオフレバー３５の操作性が確保され、又モータ１１周辺（ハウジング２，本体部４やハンドル部６）がよりコンパクトになる。
【００４０】
尚、本発明の形態は上記第１形態やその変更例に限定されず、例えば第１形態は次のような変更例を適宜有する。
バッテリは、バッテリ装着部の上方から下方へスライド装着され、上方へスライド離脱されるものであっても良い。
バッテリ装着部は、ハウジングの後端部以外に配置されていても良い。前方へ突出する各種端子や後方へ凹むガイド溝を有するターミナルの前面が露出するようにして、バッテリがスリットやレール側の面を後方に向けてスライド着脱されるようにしても良い。
バッテリに突出部（端子）やガイド溝が設けられ、バッテリ装着部にスリットやレールが設けられても良い。突出部やスリット、ないしレールやガイド溝は、省略されても良い。
バッテリ装着部に対するバッテリの固定は、バッテリ爪の窪み部への進入に限られず、バッテリ装着部側に配置された鉤部等の係止部が、バッテリ側に配置された窪み部等の被係止部に係止するもの等であっても良い。
バッテリ側の端子とバッテリ装着部側の端子との電気的な接続は、板状の端子がスリット内に設けられた端子に入る態様に限られず、柱状の突起とその当接部ないし受入部との当接ないし受入によるものや、鉤部等の係止部と孔部等の被係止部との係合によるもの等であっても良い。
ブレードカバーの左面やベースの固定刃保持部の前部等は、回転刃の裏スキ面に対して傾いていなくても良いし、ブレードカバーやベースの全体が回転刃の裏スキ面に対して傾いていても良い。墨線は、印刷や塗装等で形成されても良い。
【００４１】
メインスイッチについて、メインスイッチ本体部やスイッチレバーがハンドル部の後部に配置されても良いし、スイッチレバーが前端部に設けられた軸周りで揺動するものとされても良いし、スイッチレバー本体部の全体が同量押し込み操作可能であるものとされても良い。
ロックオフレバーは、使用者が移動範囲端部の位置に維持させることでロック解除するものに代えて、爪等の係止部材によりロック位置やロック解除位置で係止されるものが用いられても良い。又、ロックオフレバーは、省略されても良い。
【００４２】
遊星歯車機構に関し、ピンをキャリアへ挿入することに代えて、あるいはこれと共に、突起の孔への挿入や、爪同士の係止等として良い。又、ピンを挿入する孔は、有底の穴とされても良い。更に、インターナルギヤは、段毎に分割されていても良い。
遊星歯車機構は、他の減速機構に変更されても良いし、省略されても良い。
モータ軸と出力軸の間において、スピンドルが省略されても良いし、スピンドルが複数設けられても良いし、別の中間軸が設けられても良い。
【００４３】
バッテリは、１０．８Ｖ、１８Ｖ（最大２０Ｖ），１８Ｖ，２５．２Ｖ，２８Ｖ，３６Ｖ等の任意のリチウムイオンバッテリを用いても良いし、１０．８Ｖ未満あるいは３６Ｖを超える電圧のリチウムイオンバッテリを用いても良いし、他の種類のバッテリを用いても良い。
ハウジングの区分の数や遊星歯車の設置数が増減されたり、更に吸排気口が設けられたり、ネジ止めをピン止めやリベット止めや係止部止め等とする等、各種の部材や部分の数や配置、材質、大きさ、形式等は、適宜変更されても良い。
固定刃は、回転刃の左側に配置されても良いし、回転刃の上部に隣接して配置されても良い。
更に、商用電源に接続するマルチカッタや、他の切断工具に、本発明を適用することができる。
【００４４】
［第２形態］
図１９（ａ）は本発明の第２形態に係るマルチカッタにおける後部の斜視図である。
第２形態のマルチカッタは、後部の構成を除いて第１形態のマルチカッタ１と同様に成る。以下、同様の構成要素については、第１形態と同じ符号が付され、適宜説明が省略される。
【００４５】
第２形態のマルチカッタにおけるバッテリ装着部２３８は、ターミナル３６が前後左右に広がるように配置されている。ターミナル３６のプラス端子７０、マイナス端子７２、及び通信端子７４は、前後方向に延び、下面から下方へ突出している。
バッテリ装着部２３８に装着されるバッテリ２４０は、１８Ｖのリチウムイオンバッテリであって、樹脂製のバッテリケース２４２内に、図１８（ｂ）以外図示されないセルを３個内包するものである。セルは、軸方向に長い円柱状であり、左右方向を向いている。バッテリ２４０は、第１形態のバッテリ１０より大型であり、バッテリレバー６２を後面に備えている。
バッテリ２４０は、それぞれ前後方向に延びる、プラス端子スリット６４、マイナス端子スリット６６、及び通信端子スリット６８を上面に備えており、更に、これらの左右に配置された、前後方向に延び上方へ突出するレール６９を、上面に有している。
バッテリ２４０は、バッテリ装着部２３８に対し、前方へスライドすることにより装着される。又、バッテリ装着部２３８に装着されたバッテリ２４０は、バッテリレバー６２を下方に操作した状態で後方へスライドすることにより取り外される。
【００４６】
図１８（ｂ）には、バッテリ２４０の制御回路２５１が示される。
バッテリ２４０の制御回路２５１は、電源回路２５２と、制御マイコン２５４と、電圧監視回路２５６と、温度検出回路２５８と、電流検出回路２６０と、残容量表示回路２６２と、残容量表示スイッチ２７０と、電源プラス端子２７４と、電源マイナス端子２７６と、バッテリ側通信端子２７８，２８０と、サーミスタ２５８と同様のサーミスタ２９０と、を有している。
バッテリ２４０は、残容量表示スイッチ２７０、及び残容量表示回路２６２における残容量表示部（ここでは４個の発光素子）を、第１形態のバッテリ１０と同様に表面部（前面部）において有している（図１８（ｂ）以外図示略）。又、バッテリ２４０のプラス端子スリット６４に電源プラス端子２７４が設けられ、マイナス端子スリット６６には電源マイナス端子２７６が設けられ、通信端子スリット６８にバッテリ側通信端子２７８，２８０が設けられる（図１８（ｂ）以外図示略）。更に、バッテリ２４０は、３個のバッテリセルＶ１〜Ｖ３を備えている。
バッテリ装着部８のプラス端子７０は、装着状態のバッテリ２４０における電源プラス端子２７４と接触して電気的に接続され、同様にマイナス端子７２は電源マイナス端子２７６と接続され、通信端子７２はバッテリ側通信端子２７８，２８０と接続される。
【００４７】
電源回路２５２は、バッテリ電圧が入力されると、そのバッテリ電圧を所定の制御電圧Ｖｃに降圧して出力する。制御電圧Ｖｃは、制御マイコン２５４を始めとする各部の動作用電源として用いられる。
制御マイコン２５４は、ＣＰＵやＲＯＭ，ＲＡＭ，インターフェイス等を備えたマイクロコンピュータである。
電圧監視回路２５６は、バッテリセルＶ１〜Ｖ３毎の電圧を検出し、制御マイコン２５４へ送信する。
温度検出回路２５８は、サーミスタ２９０の抵抗値からバッテリ２４０の温度を検出し、制御マイコン２５４へ送信する。サーミスタ２９０は、バッテリセルＶ１に隣接して配置されており、バッテリセルＶ１の温度を検出するようにされているが、他の部分に配置されて、他の部分の温度を検出するようにされても良い。
電流検出回路２６０は、通電電流を検出して、制御マイコン２５４へ送信する。
制御マイコン２５４は、残容量表示スイッチ２７０からオン信号を受信すると、電圧監視回路２５６から送信されたバッテリセルＶ１〜Ｖ３の電圧に応じたバッテリ２４０の残容量を演算し、残容量表示回路２６２（残容量表示部）において、バッテリ２４０と同様に表示させる。
尚、バッテリセルや端子に係る形状や数や種類や配置等は、第１形態や第２形態のものに限られず、適宜変更可能である。又、バッテリ１０，２４０の制御回路２０１，２５１における回路構成も、回路や素子の数を増減したり、新たな素子や回路を追加したりする等、様々に変更されても良い。
【００４８】
第２形態のマルチカッタは、モータ１１と、モータ１１により駆動される回転刃２６と、回転刃２６に対向して配置される固定刃２８と、モータ１１が保持されるハウジング２と、ハウジング２に形成されており電動工具用のバッテリ２４０を装着可能であるバッテリ装着部２３８と、を備えており、バッテリ装着部２３８は、バッテリ２４０を案内するガイド溝７８を有している。よって、使用者は、充電後のバッテリ２４０を装着したり、充電のためにバッテリ２４０を取り外したりする場合に、ハウジング２を開けたりすることなくスライドにより容易にバッテリ２４０を着脱することができる。
又、バッテリ装着部２３８は、ハウジング２の後端部に配置されており、ガイド溝７８は、前後方向に延びる。よって、使用者は一方の手でハウジング２（ハンドル部６）を支えながら他方の手でハウジング２端部にバッテリ２４０をスライド着脱することができ、バッテリ２４０がより一層容易に着脱可能である。
更に、バッテリ装着部２３８に装着可能なバッテリ２４０を有しており、バッテリ２４０は、ガイド溝７８に入るレール６９を有している。よって、バッテリ２４０のスライドがバッテリ装着部２３８により案内され、バッテリ２４０がより一層スライド着脱し易い。
【００４９】
尚、上記第２形態は、第１形態と同様の変更例を適宜有する。
特に、バッテリが上方でバッテリ装着部が下方であっても良い。
又、バッテリが装着時に後方にスライドされ、取り外し時に前方にスライドされるようにしても良い。
【００５０】
［第３形態］
図１９（ｂ）は本発明の第３形態に係るマルチカッタにおける後部の斜視図である。
第３形態のマルチカッタは、後部の構成を除いて第２形態のマルチカッタと同様に成る。以下、同様の構成要素については、第２形態と同じ符号が付され、適宜説明が省略される。
【００５１】
第３形態のマルチカッタにおけるバッテリ装着部３３８は、ターミナル３６が前後左右に広がるように配置されている。ターミナル３６のプラス端子７０、マイナス端子７２、及び通信端子７４は、左右方向に延び、下面から下方へ突出している。
バッテリ装着部３３８に装着されるバッテリ２４０のセルは、前後方向を向いている。バッテリ２４０は、バッテリレバー６２を左面に備えている。
バッテリ２４０は、それぞれ左右方向に延びる、プラス端子スリット６４、マイナス端子スリット６６、及び通信端子スリット６８を上面に備えており、更に、これらの前後に配置された、左右方向に延び上方へ突出するレール６９を、上面に有している。
バッテリ２４０は、バッテリ装着部３３８に対し、右方へスライドすることにより装着される。又、バッテリ装着部３３８に装着されたバッテリ２４０は、バッテリレバー６２を下方に操作した状態で左方へスライドすることにより取り外される。
【００５２】
第３形態のマルチカッタは、モータ１１と、モータ１１により駆動される回転刃２６と、回転刃２６に対向して配置される固定刃２８と、モータ１１が保持されるハウジング２と、ハウジング２に形成されており電動工具用のバッテリ２４０を装着可能であるバッテリ装着部３３８と、を備えており、バッテリ装着部３３８は、バッテリ２４０を案内するガイド溝７８を有している。よって、使用者は、バッテリ装着部３３８に対するスライドによりバッテリ２４０を容易に着脱することができる。
又、バッテリ装着部３３８は、ハウジング２の後端部に配置されており、ガイド溝７８は、左右方向に延びる。よって、使用者は一方の手でハウジング２（ハンドル部６）を支えながら他方の手でハウジング２端部のバッテリ装着部３３８にバッテリ２４０をスライド着脱することができ、バッテリ２４０がより一層容易に着脱可能である。
更に、バッテリ装着部３３８に装着可能なバッテリ２４０を有しており、バッテリ２４０は、ガイド溝７８に入るレール６９を有している。よって、バッテリ２４０のスライドがバッテリ装着部３３８により案内され、バッテリ２４０がより一層スライド着脱し易い。
【００５３】
尚、上記第３形態は、第１形態や第２形態と同様の変更例を適宜有する。
例えば、バッテリが装着時に左方にスライドされ、取り外し時に右方にスライドされるようにしても良い。
【００５４】
［第４形態］
図１９（ｃ）は本発明の第４形態に係るマルチカッタにおける後部の斜視図である。
第４形態のマルチカッタは、後部の構成を除いて第２形態のマルチカッタと同様に成る。以下、同様の構成要素については、第２形態と同じ符号が付され、適宜説明が省略される。
【００５５】
第４形態のマルチカッタにおけるバッテリ装着部４３８は、ターミナル３６が上下左右に広がるように配置されている。ターミナル３６のプラス端子７０、マイナス端子７２、及び通信端子７４は、左右方向に延び、後面から後方へ突出している。
バッテリ装着部４３８に装着されるバッテリ２４０のセルは、上下方向を向いている。バッテリ２４０は、バッテリレバー６２を左面に備えている。
バッテリ２４０は、それぞれ左右方向に延びる、プラス端子スリット６４、マイナス端子スリット６６、及び通信端子スリット６８を前面に備えており、更に、これらの上下に配置された、左右方向に延び前方へ突出するレール６９を、前面に有している。
バッテリ２４０は、バッテリ装着部４３８に対し、右方へスライドすることにより装着される。又、バッテリ装着部４３８に装着されたバッテリ２４０は、バッテリレバー６２を下方に操作した状態で左方へスライドすることにより取り外される。
【００５６】
第４形態のマルチカッタは、モータ１１と、モータ１１により駆動される回転刃２６と、回転刃２６に対向して配置される固定刃２８と、モータ１１が保持されるハウジング２と、ハウジング２に形成されており電動工具用のバッテリ２４０を装着可能であるバッテリ装着部４３８と、を備えており、バッテリ装着部４３８は、バッテリ２４０を案内するガイド溝７８を有している。よって、使用者は、バッテリ装着部４３８に対するスライドによりバッテリ２４０を容易に着脱することができる。
又、バッテリ装着部４３８は、ハウジング２の後端部に配置されており、ガイド溝７８は、左右方向に延びる。よって、使用者は一方の手でハウジング２を支えながら他方の手でハウジング２端部のバッテリ装着部４３８にバッテリ２４０をスライド着脱することができ、バッテリ２４０がより一層容易に着脱可能である。
更に、バッテリ装着部４３８に装着可能なバッテリ２４０を有しており、バッテリ２４０は、ガイド溝７８に入るレール６９を有している。よって、バッテリ２４０のスライドがバッテリ装着部４３８により案内され、バッテリ２４０がより一層スライド着脱し易い。
【００５７】
尚、上記第４形態は、第１形態ないし第３形態と同様の変更例を適宜有する。
例えば、バッテリが装着時に左方にスライドされ、取り外し時に右方にスライドされるようにしても良い。
又、バッテリが前方に配置され、バッテリ装着部が後方に配置されていても良い。
【００５８】
［第５形態］
図２０（ａ）は本発明の第５形態に係るマルチカッタにおける前部の右側面図であり、図２０（ｂ）は当該マルチカッタにおける固定刃５０８の右側面図であり、図２０（ｃ）は固定刃５０８の上面図、図２０（ｄ）は固定刃５０８の左側面図、図２０（ｅ）は固定刃５０８の後面図である。
第５形態のマルチカッタは、固定刃の構成を除いて第１形態のマルチカッタ１と同様に成る。以下、同様の構成要素については、第１形態と同じ符号が付され、適宜説明が省略される。
【００５９】
第４形態のマルチカッタにおける固定刃５０８は、固定刃前部５１０と、固定刃前部５１０の最大高さより高さ（上下方向の寸法）の小さい固定刃後部５１２と、を有している。固定刃前部５１０の中央部と固定刃後部５１２の中央部には、それぞれリベット孔５１３が開けられている。
固定刃前部５１０の上辺は、後方へ行くほど高くなる斜辺となっており、前下がりの前刃５１４が付けられている。固定刃前部５１０の下辺と固定刃後部５１２の下辺は連続して前後方向に延びており、固定刃前部５１０の最大高さの部分は、前刃５１４の後端部ないしその下方の部分である。尚、より詳細には、固定刃前部５１０の最大高さの部分は、前後方向に僅かに延びており、この部分にも刃が付けられている。
固定刃後部５１２の上辺は、前後方向に延びており、後刃５１６が付けられている。固定刃後部５１２の高さは、全体に亘り、固定刃前部５１０の最大高さより低い。よって、後刃５１６の高さは、前刃５１４の最大高さより低い。尚、より詳細には、固定刃前部５１０の最大高さの部分の後端と後刃５１６の前後方向の部分の間は、後下がりの短い斜辺となっており、この部分にも刃が付けられている。尚、固定刃５１０における各部分の刃の一部又は全部は、他の何れかの部分に刃が付けられていれば、省略されても良い。
固定刃５０８は、前刃５１４の後端部からそのまま後方に延びる後刃（図２０（ｂ），（ｄ）の二点鎖線参照）を有する固定刃（第１形態の固定刃２８）に対して、後刃５１６が下方へ逃げている形状となっている。
固定刃５０８は、第１形態の固定刃２８と同様に、前後のリベット３１、固定刃保持部１７２、スペーサ１７４ないし前後のリベット１７６を介して、ベース本体部１７０に取り付けられている。
【００６０】
第５形態のマルチカッタでは、固定刃５０８が前刃５１４と後刃５１６を有しており、後刃５１６の高さは、前刃５１４の最大高さより低くなっている。よって、固定刃５０８は、固定刃２８のように後刃の高さが前刃の最大高さに維持されているものに対して、前後長が長く維持されつつ、後刃５１６の逃げによって、被切断材におけるある程度の上下動や波打ちを許容して、被切断材を一層後方に導出し易いものとなっている。
【００６１】
尚、上記第５形態は、第１形態ないし第４形態と同様の変更例を適宜有する。
又、前刃は、側面視で、１個の又は複数の頂点を有する山型であっても良いし、後刃は、同様な山型や、後下がり等であっても良い。
【００６２】
［第６形態］
図１７（ｄ）は、本発明の第６形態に係るマルチカッタにおける図１７（ｃ）相当（Ｅ−Ｅ下部）の端面模式図である。
第６形態のマルチカッタは、固定刃２８の配置（ベース本体部１７０に対する上下方向のオーバーラップ量）を除いて第１形態のマルチカッタ１と同様に成る。以下、同様の構成要素については、第１形態と同じ符号が付され、適宜説明が省略される。
【００６３】
本形態における固定刃２８の、ベース本体部１７０に対する上下方向のオーバーラップ量は、図１７（ｄ）に示された程度、即ち回転刃２６と固定刃２８の接触点における縦断面（Ｅ−Ｅ）においてベース本体部１７０の真上に固定刃２８が位置する程度とされている。当該縦断面において、ベース本体部１７０は、固定刃２８の全体と、上下方向でオーバーラップしている。
固定刃２８の前部（当該縦断面より前方の部分）の左面は、ベース本体部１７０の前端部Ｆ１の左面より左方となっており、固定刃２８の前部は、ベース本体部１７０より左方へ突出している。
固定刃保持部１７２の前端部Ｆ２は、ベース本体部１７０の前端部Ｆ１の右側に位置している。
本形態では、ベース本体部１７０の前端部Ｆ１と固定刃保持部１７２の前端部Ｆ２の間に間隔はなく、又ベース本体部１７０の弧下端部Ｒ１と固定刃２８の後下部Ｒ２の間にも間隔はなく、固定刃保持部１７２の左側や固定刃２８の左側は、ベース本体部１７０に接触しあるいは支持される。
【００６４】
本形態のマルチカッタでは、回転刃２６と固定刃２８の接触点の上下方向において、ベース本体部１７０が固定刃２８の全体とオーバーラップしている。よって、切断のポイントである当該接触点が、上下方向のオーバーラップ部分によって重点的に支持され、マルチカッタ１における被切断材の切断が安定する。
又、被切断材を受け入れる前から、固定刃保持部１７２の左側や固定刃２８の左側は、ベース本体部１７０に接触しあるいは支持されているので、切断時における固定刃２８のブレが一層抑制される。
【００６５】
尚、上記第６形態は、第１形態ないし第５形態と同様の変更例を適宜有する。
特に、固定刃の前部は、ベース本体部より左方へ突出していなくても良い。又、固定刃は、回転刃との接触部の縦断面において、固定刃の肉厚より厚い肉厚を有するベース本体部に対して全体が乗るようにされても良い。
【符号の説明】
【００６６】
１・・マルチカッタ（切断工具）、２・・ハウジング、８，２３８，３３８，４３８・・バッテリ装着部、１０，２４０・・バッテリ、１１・・モータ、２６・・回転刃、２８，５０８・・固定刃、３０・・ベース、４４・・ブレードカバー、６４・・プラス端子スリット、６６・・マイナス端子スリット、６８・・通信端子スリット、６９・・レール、７０・・プラス端子（突出部）、７２・・マイナス端子（突出部）、７４・・通信端子（突出部）、７８・・ガイド溝、１７０・・ベース本体部、１７２・・固定刃保持部、１９２・・墨線（目印）、Ｆ１・・（ベース本体部の）前端部（左右方向オーバーラップ部分）、Ｆ２・・（固定刃保持部の）前端部（左右方向オーバーラップ部分）、Ｒ１・・（ベース本体部の）後部前縁（左右方向オーバーラップ部分）、Ｒ２・・（固定刃保持部の）前部後縁（左右方向オーバーラップ部分）。
【図１】
2018117994.tif 000003
【図２】
2018117994.tif 000004
【図３】
2018117994.tif 000005
【図４】
2018117994.tif 000006
【図５】
2018117994.tif 000007
【図６】
2018117994.tif 000008
【図７】
2018117994.tif 000009
【図８】
2018117994.tif 000010
【図９】
2018117994.tif 000011
【図１０】
2018117994.tif 000012
【図１１】
2018117994.tif 000013
【図１２】
2018117994.tif 000014
【図１３】
2018117994.tif 000015
【図１４】
2018117994.tif 000016
【図１５】
2018117994.tif 000017
【図１６】
2018117994.tif 000018
【図１７】
2018117994.tif 000019
【図１８】
2018117994.tif 000020
【図１９】
2018117994.tif 000021
【図２０】
2018117994.tif 000022